(57)【特許請求の範囲】
【請求項１】
腕を持ち上げる動作を行う際に左右の肩甲骨の下角が変位する領域を少なくとも含んで背面幅方向の一端側から他端側にかけて設定される所定領域に、
背面における少なくとも首近傍の領域よりも背面幅方向の伸縮率が小さい低伸縮部が設けられることを特徴とするウェア。
【請求項２】
腕を持ち上げる動作を行う際に左右の肩甲骨の下角が変位する領域を少なくとも含んで背面幅方向の一端側から他端側にかけて設定される所定領域に、
該所定領域以外の背面領域よりも背面幅方向の伸縮率が小さい低伸縮部が設けられることを特徴とするウェア。
【請求項３】
前記所定領域は、肩甲骨の上角及び下角が変位する領域間に、前記所定領域以外の背面領域との境界が位置するように設定されることを特徴とする請求項１又は２に記載のウェア。
【請求項４】
前記所定領域は、幅方向両端部を背面と前面との境界部に一致させて設定されることを特徴とする請求項１から３のいずれか一項に記載のウェア。
【請求項５】
前記所定領域は、幅方向両端部における所定領域の高さ寸法が、少なくとも前記肩甲骨の下角が変位する領域における所定領域の高さ寸法よりも小さく設定されることを特徴とする請求項１から４のいずれか一項に記載のウェア。
【請求項６】
前記所定領域は、幅方向中央部が高さ方向下方に突出するように設定されることを特徴とする請求項１から５のいずれか一項に記載のウェア。
【発明の詳細な説明】
【技術分野】
【０００１】
本発明は、着用者の身体に密着させて使用されるウェアに関し、特に、上半身に密着させて使用される上半身用ウェアに関する。
【背景技術】
【０００２】
従来、例えば、野球の投球動作やバスケットボールのシュートの動作などに含まれる腕を持ち上げる動きを向上させることを意図したウェアが提案されている（例えば、特許文献１及び特許文献２）。【０００３】
これらのウェアは、腕を持ち上げる際に機能する腕や肩の筋肉を直接的に補助することにより運動能力を高めるものであり、具体的には、これらの筋肉の筋線維方向に沿うように伸縮性の低い部材が配置された低伸縮部を形成し、該低伸縮部が伸張された際に発生する復元力を利用するものである。【０００４】
【特許文献１】日本国特許第３１１５８１６号公報
【特許文献２】日本国特開２００４−４４０７０号公報
【発明の開示】
【発明が解決しようとする課題】
【０００５】
しかしながら、これらのウェアでは、復元力を発生させるために腕を下方から上方に持ち上げる一連の動作の中で前記低伸縮部を一旦伸長させることが必要であるが、これは筋肉の活動によって実現されるものであり、また、低伸縮部がこれらの筋肉を拘束する状態となり得る。従って、筋肉の活動量が増加せざるを得ず、腕を持ち上げる動作を行いやすくする観点からは必ずしも有効でなく、着心地も良好ではない。【０００６】
そこで、筋肉を不必要に拘束しないことで筋肉の活動を軽減しつつ、腕を持ち上げる動作を行いやすくすることが可能なウェアを提供することを目的とする。
【課題を解決するための手段】
【０００７】
本発明に係るウェアは、腕を持ち上げる動作を行う際に左右の肩甲骨の下角が変位する領域を少なくとも含んで背面幅方向の一端側から他端側にかけて設定される所定領域に、背面における少なくとも首近傍の領域よりも背面幅方向の伸縮率が小さい低伸縮部が設けられることを特徴とする。なお、首近傍の領域とは、前記所定領域よりも上方側の領域であるが、例えば、ウェアの端縁部を補強するべく設けられる首周の部分などは含まない趣旨である。【０００８】
あるいは、本発明に係るウェアは、腕を持ち上げる動作を行う際に左右の肩甲骨の下角が変位する領域を少なくとも含んで背面幅方向の一端側から他端側にかけて設定される所定領域に、該所定領域以外の背面領域よりも背面幅方向の伸縮率が小さい低伸縮部が設けられることを特徴とする。【０００９】
上記構成からなるウェアによれば、低伸縮部が設けられる所定領域が肩甲骨の下角が変位する領域を少なくとも含むので、腕を持ち上げる動作を行う間、低伸縮部によって発生する衣服圧を下角に作用させて肩甲骨を胸郭側に押し付けることができる。また、所定領域は、幅方向の一端側から他端側にかけて構成されるので、着用者の体側に相当する両端側から加えられる張力を低伸縮部に対して有効に作用させ、衣服圧を有効に発生させることが可能となる。なお、低伸縮部は、該低伸縮部が接触する被接触面との摩擦により発生する張力によっても伸張され、衣服圧を発生させ得る。これにより、肩甲骨が胸郭上をスムーズにスライドすることが可能となり、肩甲骨を動かす筋肉の活動が軽減される。特に、腕の外転動作を伴う場合には、前鋸筋や僧帽筋上部線維の活動を軽減させることが可能となる。【００１０】
この場合、前記所定領域は、肩甲骨の上角及び下角が変位する領域間に、前記所定領域以外の背面領域との境界が位置するように設定される構成を採用することができる。このようにすれば、肩甲骨の下部側に相当するより広い範囲に亘って衣服圧を作用させて肩甲骨をより有効に胸郭側に押し付けることができるため、肩甲骨を動かす筋肉の活動をより効率的に軽減することができる。【００１１】
また、前記所定領域は、幅方向両端部を背面と前面との境界部に一致させて設定される構成を採用することができる。このようにすれば、ウェアの両端側から加えられる張力を損失する（弱める）ことなく低伸縮部に対してより有効に作用させることができ、衣服圧をより有効に発生させることができる。【００１２】
さらに、前記所定領域は、幅方向両端部における所定領域の高さ寸法が、少なくとも前記肩甲骨の下角が変位する領域における所定領域の高さ寸法よりも小さく設定される構成を採用することができる。このようにすれば、高さ方向の伸縮率が小さい領域が幅方向両端部の全高さ寸法に占める割合が小さくなる。従って、低伸縮部の高さ方向の伸縮率が前記所定領域以外の領域における部位の高さ方向の伸縮率よりも小さい場合であっても、幅方向両端部におけるウェア全体としての高さ方向の伸縮率を高く維持することができる。ここで、ウェアの幅方向両端部は、腕を持ち上げる動作の際に皮膚の変位が大きい体側に相当する位置である。従って、このように構成することによって、腕を持ち上げる動作を行いやすくし、着用感を良好に維持することができる。【００１３】
そして、前記所定領域は、幅方向中央部が高さ方向下方に突出するように設定される構成を採用すれば、僧帽筋下部線維に対して広い範囲に亘って圧迫刺激を与えることができ、着用者に対して動かすべき筋肉への意識付けを有効に行って、腕を持ち上げる動作をより一層行いやすくすることができる。
【発明の効果】
【００１４】
以上のように、本発明に係るウェアによれば、筋肉を不必要に拘束しないことで筋肉の活動を軽減しつつ、腕を持ち上げる動作を行いやすくすることができる。
【図面の簡単な説明】
【００１５】
【図１】腕の外転動作を人体の前面側（胸側）から見た場合について説明する概略図であって、（Ａ）〜（Ｃ）は、主に上腕骨が回転する第一相を示し、（Ｄ）〜（Ｆ）は、上腕骨だけでなく肩甲骨が回転する第二相を示す。
【図２】肩甲骨及び脊柱の位置関係を説明する概略図を示す。
【図３】腕を持ち上げる動作に関与する筋肉を説明する図であって、（Ａ）は、人体の側面側から見た前鋸筋を示し、（Ｂ）は、人体の背面側から見た僧帽筋上部線維及び僧帽筋下部線維を示す。
【図４】本発明の一実施形態に係る上半身用ウェアの背面側の平面図を示す。
【図５】同実施形態に係る上半身用ウェアを着用して腕の外転動作を行った場合における低伸縮部と肩甲骨の下角との位置関係を説明する図を示し、（Ａ），（Ｂ）は、主に上腕骨が回転する第一相を示し、（Ｃ），（Ｄ）は、上腕骨だけでなく肩甲骨が回転する第二相を示す。
【図６】腕の外転動作における筋肉の活動量を比較する図であって、（Ａ）は、前鋸筋の場合を示し、（Ｂ）は、僧帽筋上部線維の場合を示し、（Ｃ）は、僧帽筋下部線維の場合を示す。
【図７】（Ａ）は、野球の投球動作における僧帽筋上部線維の活動量を比較する図を示し、（Ｂ）は、野球の投球動作における三角筋の活動量を比較する図を示し、（Ｃ）は、腕振り動作における僧帽筋上部線維の活動量を比較する図を示す。
【図８】本発明の他の実施形態に係る上半身用ウェアの背面側の平面図であって、（Ａ）は、いわゆるノースリーブタイプのものを示し、（Ｂ）は、いわゆるブラトップタイプのものを示す。
【符号の説明】
【００１６】
１…肩甲骨、２…上角、３…肩峰、４…下角、５…内側縁、６…肩甲棘、１０…上腕骨、１１…鎖骨、２１…胴部、２２…胴部、２３…袖部、２４…境界部、２４ａ…下端部、２５…低伸縮領域、２６…高伸縮領域、２７…下角変位領域、２８…側部領域、２９…中央領域、Ｍ１…前鋸筋、Ｍ２…僧帽筋上部線維、Ｍ３…僧帽筋下部線維
【発明を実施するための最良の形態】
【００１７】
以下に、本発明に係るウェアの実施形態について説明する。ここで、本実施形態に係るウェアを説明するのに際し、解剖学的な観点から、腕を持ち上げる動きに含まれる「腕の外転動作」と呼ばれる動作のメカニズムを説明する。【００１８】
即ち、腕の外転動作は、図１のようであり、肩甲骨１は大きく回転せず主に上腕骨１０が回転する前半の動作と、上腕骨１０だけでなく肩甲骨１も回転する後半の動作とに大別することができる。なお、図１は、右腕の外転動作を人体の前面側（胸側）から見た場合の概略図である。従って、図１中で表側を向く肩甲骨１の面は、胸郭と対向する面である。【００１９】
より具体的には、主に上腕骨１０が回転する外転角度０°〜約９０°の第一相（図１（Ａ）〜（Ｃ））、上腕骨１０だけでなく肩甲骨１も回転する外転角度約９０°〜約１６０°の第二相（図１（Ｄ）〜（Ｆ））、及び、外転角度約１６０°〜約１８０°の第三相（図示されない）に区別される。なお、これらの動作は、解剖学的な見地から区別されるものであり、その区分けは明確ではない。例えば、第一相においても、上腕骨の動きに連動して肩甲骨は若干回転する。【００２０】
まず、第一相においては、肩甲骨１及び上腕骨１０は、ともに鉛直下方を向いている。この状態から腕の外転動作を行うと、肩甲骨１の関節窩に保持される上腕骨１０が回転する。このとき、上腕骨１０を持ち上げるのに主に寄与する筋肉（主働筋）は、三角筋と棘上筋と呼ばれる筋肉である。上腕骨１０は、外転角度約９０°程度までは、肩甲骨を大きく運動させることなく回転可能である。一方、外転角度が約９０°近辺になると、上腕骨１０が肩甲骨１の関節窩などと接触し得る状態となり、肩甲骨１が回転しないとそれより回転することが困難となる。従って、腕の外転動作は、肩甲骨１が回転する次の第二相に移行する。【００２１】
ここで、図２に基いて、肩甲骨１について説明する。なお、図２に示す肩甲骨１は、図１とは反対の面が表側を向いている。肩甲骨１は、上角２、肩峰３及び下角４を頂点とする逆三角形状を有し、胸郭の背中側上部において第２〜第８肋骨の間に位置し、腕と胴体とを繋ぐ骨である。そして、この肩甲骨１は、上腕骨１０及び鎖骨１１が関節を介して連結される他は、他の骨と主に筋肉や靭帯で連結され、比較的自由に動くことが可能である。このため、肩甲骨１の回転は、肩甲骨１が胸郭に沿ってスライドする態様で行われる（これは、肩甲骨の「上方回旋」と呼ばれる）。上方回旋は、上角２の近傍位置を中心に、下角４が円弧状の軌跡を描くように行われる。一般に、肩甲骨１の下角４は、上方回旋の際、脊柱における第８胸椎（Ｔ８）から第７胸椎（Ｔ７）に至る高さ方向における領域を移動する。また、肩甲骨１は、鉛直方向に対して約４５°程度まで回転可能である。【００２２】
第二相において、肩甲骨の上方回旋に主に寄与する筋肉（主働筋）は、図３（Ａ）に示す前鋸筋Ｍ１及び図３（Ｂ）に示す僧帽筋上部線維Ｍ２である。前鋸筋Ｍ１は、肩甲第１〜第９（又は第８）肋骨（Ｒ１〜Ｒ９（又はＲ８））に起始部を有し、肩甲骨１と胸郭との間（図２では、肩甲骨１の裏面にある空間）を通り、肩甲骨１の内側縁５に停止部を有する筋肉であり、肩甲骨１の上方回旋に際しては、肩甲骨１を持ち上げるように機能する。また、僧帽筋上部線維Ｍ２は、頭蓋骨を構成する後頭骨及び項靭帯に起始部を有し、肩甲骨１の肩甲棘６から肩峰３にかけての部位及び鎖骨に停止部を有する筋肉であり、肩甲骨１を吊り下げるとともに、上方回旋に際しては、肩甲骨１を引き上げるように機能する。ここで、前記前鋸筋Ｍ１は、肩甲骨１を胸郭側に引き寄せる機能をも果たし、肩甲骨１をいわゆる「正しい位置」とすべく機能する。即ち、前鋸筋Ｍ１は、肩甲骨１を胸郭側に引き寄せる第一の機能と、肩甲骨１を上方回旋させる第二の機能とを有する。【００２３】
第三相の腕の外転動作は、主として脊柱の下部を構成する腰椎の前湾が増大することによって行われるものであり、肩甲骨１及び上腕骨１０の回転は、主には寄与しない。【００２４】
なお、付随的な認識として、腕を持ち上げる動作では、図３（Ｂ）に示す僧帽筋下部線維Ｍ３が間接的に寄与することが、リハビリテーションなど理学療法の分野において知られている。具体的には、該僧帽筋下部線維Ｍ３は、図２に示す脊柱の第７〜第１２胸椎（Ｔ７〜Ｔ１２）及び棘上靭帯に起始部を有し、肩甲骨１の肩甲棘６に停止部を有する筋肉である。かかる僧帽筋下部線維Ｍ３は、上腕骨１０の外転若しくは肩甲骨１の上方回旋には直接的に寄与するものではないが、腕の外転動作の初期段階（ここでは、例えば第一相）において活発に活動することで、外転動作の後の段階（ここでは、例えば第二相）において前記前鋸筋Ｍ１及び僧帽筋上部線維Ｍ２の活動を軽減させるように機能する。【００２５】
ここで、腕の外転動作における第一相と第二相とを比較すると、外転角度が大きいことが原因となり、第二相の方が筋肉の負荷が大きい。従って、一連の腕の外転動作を行いやすくするためには、第二相における筋肉の負荷を低減させることが有効であると考えられる。そして、第二相では、肩甲骨１の回転が主になるので、肩甲骨１が前記胸郭上をスムーズにスライドすれば、筋肉の負荷を低減する上で有効である。【００２６】
ところで、肩甲骨１は、上述のように、上腕骨１０や鎖骨１１と関節によって連結されるため、上部側は比較的位置が定まりやすいものであるが、下部側は、主に筋肉によって連結されるため、位置が定まりにくく、下部側が胸郭から離れて浮き上がったような状態となりやすいものである。この状態は、「翼状肩甲」と呼ばれる場合もある。このような肩甲骨１の下部側が浮いた状態では、腕を持ち上げるために前鋸筋Ｍ１及び僧帽筋上部線維Ｍ２を通常の状態よりも大きく変位させる必要があるため、筋肉の活動量が増加する。従って、肩甲骨１のスライドをスムーズにするためには、肩甲骨１が胸郭側に近接した位置（いわゆる「正しい位置」）となるようにすることが効果的である。【００２７】
さて、次に、本実施形態に係るウェアの説明を行う。本実施形態に係るウェアは、着用者の身体に密着させて使用されるものであり、特に、上半身に密着させて使用される上半身用ウェアである。このため、そのサイズは、着用者の身体よりも若干小さめ（例えば、約８５〜９５％程度）とされる。【００２８】
該上半身用ウェアは、図４に示すように、背面側の胴部２１及び前面側の胴部２２と、これら一対の胴部２１，２２に前面側及び背面側に亘って取り付けられる左右の袖部２３，２３とからなる。【００２９】
次に、背面側の構造について説明する。【００３０】
胴部２１，２２は、それぞれ、腰側から所定の高さ位置までは高さ方向に沿って概ね一定幅に形成される一方、前記所定の高さ位置から首側にかけては、上方側ほど幅狭に形成される。なお、幅狭に形成されることにより高さ方向及び幅方向に対して傾斜する端縁部には、前記袖部２３が取り付けられ、該端縁部は、胴部２１と袖部２３との境界部２４となる。また、該境界部２４の下端部２４ａは、上半身用ウェアの脇部となる。【００３１】
なお、袖部２３は、基端部が首周の一部を構成し、前記各胴部２１，２２の上端部と一繋がりとなって一周の首周となる。このように、胴部２１，２２と袖部２３との境界部２４が高さ方向及び幅方向に対して傾斜し、袖部２３の基端部が首周の一部を構成するタイプの袖形状、若しくは、かかる袖形状を有する上半身用ウェアは、一般に「ラグラン袖」と呼ばれる。かかる袖部２３の形状により、胴部２１及び袖部２３を構成する部材同士の接合箇所（例えば、生地同士の縫い目）となる境界部２４が、皮膚の動きの大きい部位である肩から腕にかけての部位を避けた位置となるため、腕を持ち上げるなどの動作を阻害せず、且つ、着用感を良好に維持することができる。【００３２】
背面側の胴部２１は、幅方向の伸縮率がそれぞれ異なる低伸縮部及び高伸縮部によって構成される。具体的には、低伸縮部には、幅方向の伸縮率が小さい（即ち、伸張しにくい）部材が使用され、一方、高伸縮部には、幅方向の伸縮率が大きい（即ち、伸張しやすい）部材が使用される。【００３３】
低伸縮部が設けられる領域（以下、低伸縮領域）２５は、肩甲骨１が回転する際に一対の下角４，４（図２参照）が変位する部位に対応する一対の下角変位領域２７，２７を少なくとも含む。ここで、肩甲骨１の下角４は、上述のように、上方回旋の際に、脊柱における第８胸椎（Ｔ８）から第７胸椎（Ｔ７）（図２参照）に至る高さ方向における範囲を移動する。従って、前記下角変位領域２７は、脊柱における第８胸椎（Ｔ８）から第７胸椎（Ｔ７）に至る高さ位置に対応する円弧状の領域である。【００３４】
かかる下角変位領域２７は、前記胴部２１と袖部２３との一対の境界部２４，２４における下端部２４ａ，２４ａを結ぶ線分の近傍（図４においては、上方）に位置する。また、各下角変位領域２７は、胴部２１の両側縁と幅方向中心との幅方向におけるほぼ中間にそれぞれ位置する。【００３５】
また、低伸縮領域２５は、前記肩甲骨１の上角２に相当する部位及び前記下角変位領域２７の間に、低伸縮領域２５及び高伸縮部が設けられる領域（以下、高伸縮領域）２６の境界が位置するように設けられる。即ち、低伸縮領域２５は、その上端縁が、前記上角２及び下角４に相当する部位の間を通るように構成される。【００３６】
そして、低伸縮領域２５は、胴部２１の一端側から他端側にかけて形成され、幅方向に亘って延びる帯状の形状を有する。具体的には、低伸縮領域２５は、幅方向両端部を背面と前面との境界部と一致させて設定される。より具体的には、低伸縮領域２５の両端部は、背面側の胴部２１と前面側の胴部２２との接合部（即ち、胴部２１の幅方向両端部）と一致させて設定される。さらに、低伸縮領域２５には、低伸縮部が一端側から他端側まで連続する態様で設けられる。ところで、例えば前身頃と後身頃とが一体的（連続的）に形成される上半身ウェアにあっては、背面側の胴部と前面側の胴部との接合部は存在しないものの、ウェアにおける着用者の体側に相当する部位が背面と前面との境界部となる。【００３７】
さらに、低伸縮領域２５は、少なくとも幅方向両端部の高さ寸法が、前記下角変位領域２７の幅方向位置における高さ寸法よりも小さく構成される。ここで、伸縮性の部材に対して任意の複数箇所の間で張力を与えた場合、該張力は、前記複数箇所の中間位置では該複数箇所を結ぶ方向と直交する方向に広がるように作用する。このため、張力を与える必要のある高さ寸法は、該張力を及ぼすことができる領域の高さ寸法よりも小さくて足りる。【００３８】
また、低伸縮領域２５は、幅方向中央部ほど高さ寸法が大きく形成される。具体的には、低伸縮領域２５の下端縁は、幅方向両端部よりも中央部が高さ方向下方に延びる概略形状を有する。一方、低伸縮領域２５の上端縁は、幅方向中央部ほど上方に突出する形状を有する。即ち、低伸縮領域２５は、その上端縁及び下端縁が幅方向中央部において互いに離間するように膨らみ、所定高さ位置を通る幅方向に沿う線を中心として、上下に線対称な形状を有する。具体的には、低伸縮領域２５は、高さ方向ほぼ中央部に前記下端部２４ａ，２４ａを結ぶ線分を含んで形成される。【００３９】
低伸縮領域２５の幅方向両端部における高さ寸法は、好ましくは、幅方向中央部の高さ寸法の約１／２〜約１／３とされる。より具体的には、低伸縮領域２５の両端部は、上半身用ウェアの首部から脇部にかけて斜め下方に延びる前記胴部２１と袖部２３との境界部２４を利用して、高さ寸法が両端側ほど小さくなるように形成される。即ち、低伸縮領域２５の上端縁の両端部が前記境界部２４の両端部と一致するように構成される。【００４０】
ところで、前記低伸縮部が設けられる低伸縮領域２５は、より具体的には、二種類の領域（側部領域及び中央領域）２８，２９によって構成される。中央領域２９は、幅方向中央部に設定され、側部領域２８は、前記中央領域２９を挟む態様で左右二箇所に設定される。【００４１】
側部領域２８，２８は、少なくとも前記下角変位領域２７，２７を含む領域であり、低伸縮部が伸張することで発生した衣服圧により、肩甲骨１の下角４及び肩甲骨１の下部側を胸郭側に押し付ける機能を主に有する。【００４２】
一方、中央領域２９は、僧帽筋下部線維Ｍ３に対して圧迫刺激を与える機能を有する。従って、前記僧帽筋下部線維Ｍ３（図３（Ｂ）参照）に対応して設けられ、少なくとも前記下角変位領域２７と同等の高さ位置を通る。より具体的には、中央領域２９は、最も下方側の部位が第１腰椎Ｌ１（図２参照）に相当する部位に位置する。これにより、上半身用ウェアを着用した際には、僧帽筋下部線維Ｍ３は、低伸縮部の前記中央領域２９に相当する部位に全体的に覆われる状態となる。また、中央領域２９は、最も上方側の部位が第６胸椎Ｔ６（図２参照）に相当する部位に位置する。【００４３】
なお、前記高伸縮領域２６は、前記低伸縮領域２５以外の領域、即ち、低伸縮領域２５より上方側の首近傍の領域、及び、下方側の腰側の領域に設定される。【００４４】
胴部２１は、例えば、高伸縮性の部材である３ＷＡＹニット、２ＷＡＹトリコット、ＨＫＳニット（ＨＫＳ編み機によるニット）が基材として使用され、低伸縮領域２５には、低伸縮性の部材であるパワーネットがさらに重ね合わされる。これにより、伸縮率は、６０％伸張時を基準として、低伸縮部の幅方向の伸縮度合い（伸縮のしやすさ）を１とすると、低伸縮部の高さ方向が約１．６、高伸縮部の幅方向が約３．３、高伸縮部の高さ方向が約４となる。【００４５】
また、袖部２３には、前記高伸縮部と同様に、例えば、高伸縮性の部材である３ＷＡＹニット、２ＷＡＹトリコット、ＨＫＳニットが使用される。【００４６】
なお、前面側の胴部２２は、その素材を特定のものに限定されないが、前記背面側の胴部２１に低伸縮部が設けられることから、着用感を良好にする観点より、前記低伸縮領域２５よりも伸縮性の高い部材が配置される。具体的には、前面側の胴部２２は、前記背面側の胴部２１における高伸縮部と同様に、例えば、高伸縮性の部材である３ＷＡＹニット、２ＷＡＹトリコット、ＨＫＳニットが使用される。ただし、背面側の低伸縮部に高い張力を発生させるべく、低伸縮領域２５と高さ位置を少なくとも一部重複させて前面側の胴部２２にも幅方向の伸縮率が小さい低伸縮部が形成され、前面側及び背面側の低伸縮部が上半身用ウェアの外周を一周する構成を採用してもよい。【００４７】
次に、本実施形態に係る上半身用ウェアが腕の外転動作の際に果たす機能について、図１及び図２を参照しつつ、図５に基いて説明する。まず、前記第一相の場合について説明する。最初の状態では、腕の外転角度は０°であり、肩甲骨１及び上腕骨１０はともに平行となっている。このとき、図５（Ａ）に示すように、肩甲骨１の下角４は、Ｉ１に位置し、上角２は、Ｓ１に位置する。【００４８】
次に、この状態から、徐々に腕を外転させると、主に上腕骨１０が回転する。これに付随して、肩甲骨１もわずかに変位する。この際、低伸縮部の前記中央領域２９に相当する部位は、僧帽筋下部線維Ｍ３を覆う状態となっており、該部位が伸張されて発生する衣服圧が僧帽筋下部線維Ｍ３を刺激する。【００４９】
図５（Ｂ）は、腕が体に対してほぼ垂直となるまで腕を外転させた状態を示し、このとき、上腕骨１０は、約９０°程度回転しており、肩甲骨１は、約１０°程度上方回旋し、下角４がＩ２に位置する。【００５０】
次に、第二相の場合について説明する。前記状態からさらに腕を外転させると、肩甲骨１が第一相の場合に比べて大きく上方回旋し始める。この際、低伸縮部の前記側部領域２８に相当する部位は、衣服圧によって下角４を含む肩甲骨１の下部側を胸郭側に押し付けるように作用する。【００５１】
図５（Ｃ）は、腕の外転角度が約１２５°の状態を示し、このとき、肩甲骨１は、約２５°程度上方回旋し、上腕骨１０は、約１００°程度回転し、下角４がＩ３に位置する。図５（Ｄ）は、腕の外転角度が約１６０°の状態を示し、このとき、肩甲骨１は、約４５°程度上方回旋し、上腕骨１０は、約１１５°程度回転し、下角４がＩ４に位置する。また、上角は、Ｓ２に位置する。【００５２】
本実施形態に係る上半身用ウェアによれば、低伸縮領域２５が下角変位領域２７及び肩甲骨１の下部側に対応する領域を含むため、腕を持ち上げる動作を行う間、低伸縮部によって発生する衣服圧を下角４及び肩甲骨１の下部側の広い範囲に亘って作用させ、肩甲骨１を胸郭側に押し付けることができる。これにより、肩甲骨１が胸郭上をスムーズにスライドすることが可能となり、肩甲骨１を動かす筋肉の活動が軽減される。そして、低伸縮領域２５は、幅方向の一端側から他端側にかけて構成されるので、両端側から加えられる張力を低伸縮部に対して有効に作用させ、衣服圧を有効に発生させることが可能となる。なお、低伸縮部は、該低伸縮部が接触する被接触面との摩擦により発生する張力によっても伸張され、衣服圧を発生させ得る。【００５３】
特に、腕の外転動作を伴う場合には、第二相において、低伸縮部の前記側部領域２８に相当する部位が、肩甲骨１を胸郭側に引き寄せるという前鋸筋Ｍ１が果たす前記第一の機能を補助し、前鋸筋Ｍ１の活動を軽減させることができる。さらに、肩甲骨１が胸郭側に押し付けられることで肩甲骨１が正しい位置をとることが可能となるため、肩甲骨１が胸郭上をスムーズにスライドすることが可能となり、肩甲骨１を引き上げる機能を果たす前鋸筋Ｍ１及び僧帽筋上部線維Ｍ２の活動を軽減させることができる。【００５４】
また、低伸縮領域２５は、両端部が背面側及び前面側の胴部２１，２２の接合部と一致させて設定され、さらに、低伸縮部が一端側から他端側まで連続する態様で設定されるため、間に高伸縮性の部材を挟むことがなく、両端側から加えられる張力は、吸収されて損なわれずに低伸縮部に有効に作用し、該低伸縮部を全幅に亘って有効に伸張させるため、衣服圧をより有効に発生させることが可能となる。【００５５】
そして、低伸縮領域２５は、少なくとも幅方向両端部の高さ寸法が、前記下角変位領域２７の幅方向位置における高さ寸法よりも小さく構成されることから、幅方向両端部の全高さ寸法に対して低伸縮領域２５が占める割合が小さくなり、低伸縮部が高伸縮部よりも高さ方向の伸縮率が小さい場合であっても、幅方向両端部における上半身用ウェア全体としての高さ方向の伸縮率を高く維持することができる。上半身用ウェアの幅方向両端部（特に、脇部に相当する前記下端部２４ａの近傍部位）は、腕を持ち上げる動作の際に皮膚の変位が大きい体側に相当する位置であるため、このように構成することによって、腕を持ち上げる動作を行いやすくし、着用感を良好に維持することができる。【００５６】
さらに、低伸縮部の前記中央領域２９に相当する部位が僧帽筋下部線維Ｍ３に対して圧迫刺激を与えるので、着用者が腕を持ち上げる際に僧帽筋下部線維Ｍ３を活発に活動させるよう促され、腕を持ち上げる動作をより一層行いやすくすることができる。特に、腕の外転動作を伴う場合には、意識付けは第一相において行われ、後に続く第二相における主働筋である前鋸筋Ｍ１及び僧帽筋上部線維Ｍ２の活動を軽減することができる。【００５７】
上記構成からなる上半身用ウェアの効果を検証すべく、以下のような実験を実施した。【００５８】
第一の実験として、成人男子二名を対象に、腕を垂下させた直立姿勢から真上まで腕を１秒間で持ち上げ（腕の外転動作）１秒間で元の位置まで下ろす一連の動作連続１０回を１セットとして２セット行い、何ら衣服を着用しない上半身裸の場合（比較例１）と、通常の上半身用ウェアを着用した場合（比較例２）と、本実施形態に係る上半身用ウェアを着用した場合（実施例）とについて、それぞれ、前鋸筋、僧帽筋上部線維、僧帽筋下部線維の筋放電量（ＥＭＧ）を測定した。なお、通常の上半身用ウェアは、高伸縮性の部材である３ＷＡＹニットのみが使用されたものである。【００５９】
その実験結果を図６に示す。なお、図６における棒グラフは、筋放電量の平均値を示し、棒グラフから上方に延びるバーは、その標準偏差を示す（後述する図７においても同様である。）。即ち、図６に示すように、第一相（０°〜約９０°）においては、肩甲骨１の上方回旋が大きくないことから、前鋸筋及び僧帽筋上部線維のどちらも、筋放電量の値は、通常の上半身用ウェアとほぼ同等であった（図６（Ａ）及び（Ｂ）の左欄参照）。一方、肩甲骨の上方回旋が大きくなる第二相（約９０°〜約１６０°）では、前鋸筋及び僧帽筋上部線維のどちらも、筋放電量の値が大幅に低減し（図６（Ａ）及び（Ｂ）の右欄参照）、即ち、両筋肉の活動が軽減されることが確認できた。【００６０】
また、僧帽筋下部線維は、第一相（０°〜約９０°）においては、従来の上半身用ウェアよりも筋放電量の値が増加し（図６（Ｃ）の左欄参照）、即ち、前記低伸縮部２５の中央領域２９による意識付けが有効に行われたことが確認できた。なお、第二相（約９０°〜約１６０°）においては、筋放電量の値はほぼ同等であった。【００６１】
第二の実験として、野球の投球動作において筋放電量の測定を行った。ここで、投球動作は、肩甲骨の上方回旋を基本とし、さらに前後方向の動作などの他の動作が加わって実現されるものである。そこで、僧帽筋上部線維と投球動作の際に重要な三角筋とを対象に、単位肘高さ当たりの筋放電量を測定した。なお、測定は、何ら衣服を着用しない上半身裸の場合（比較例１）と、通常の上半身用ウェアを着用した場合（比較例２）と、本実施形態に係る上半身用ウェアを着用した場合とについて行った。【００６２】
ここで、本実施形態に係る上半身用ウェアとしては、袖部の先端が幅方向に対してやや下方を向き、且つ、先端が肘上に位置するいわゆる半袖のもの（実施例１）、袖部の先端が幅方向に対してやや上方を向き、且つ、半袖もの（実施例２）、及び、袖部の先端が幅方向に対してやや上方を向き、且つ、先端が肘下に位置するいわゆる七部袖のもの（実施例３）の三種類を用いた。また、この第二の実験における実施例１は、上記第一の実験における実施例と同様のものである。【００６３】
その結果、図７（Ａ），（Ｂ）に示すように、本実施形態に係る上半身用ウェアの場合が、僧帽筋上部線維（図７（Ａ）参照）及び三角筋（図７（Ｂ）参照）のいずれにおいても、単位肘高さ当たりの筋放電量が大幅に低減され、即ち、両筋肉の活動が軽減されることが確認できた。【００６４】
さらに、本実施形態に係る上半身用ウェアの中では、実施例１のものが実施例２のものよりも筋肉の活動が軽減されることが確認できた。これは、袖部が腕を幅方向に対して上方に持ち上げる力を作用させることによるものである。また、実施例３のものが実施例２に係るものよりも筋肉の活動が軽減されることが確認できた。これは、袖部が長くなることで、腕を持ち上げる力がより大きくなることによるものであると考えられる。【００６５】
第三の実験として、ジョギングの要領で腕を前後に振る動作を行い、何ら衣服を着用しない上半身裸の場合（比較例１）と、通常の上半身用ウェアを着用した場合（比較例２）と、本実施形態に係る上半身用ウェアを着用した場合（実施例）とについて、それぞれ、僧帽筋上部線維の単位肘高さ当たりの筋放電量を測定した。ここで、本第三の実験における実施例は、上記第二の実験における実施例１と同様のものである。【００６６】
その結果、図７（Ｃ）に示すように、本実施形態に係る上半身用ウェアの場合に、僧帽筋上部線維の単位肘高さ当たりの筋放電量の値が大幅に低減され、即ち、筋肉の活動が軽減されることが確認できた。これは、低伸縮部が肩甲骨を胸郭側に押し付けることで肩甲骨の下角の浮きを抑え、腕を前後に振る動作の際に、肘を後方に引きやすくなることによるものであると考えられる。【００６７】
なお、上記実施形態においては、主として腕の外転動作のメカニズムに基づいて肩甲骨の挙動を説明したが、肩甲骨の挙動は、腕を持ち上げる動作の種類によって当然に変化し得るものである。また、同じ動作であっても、肩甲骨がより大きい（若しくは小さい）角度まで回転するとか、腕を持ち上げる動作における初期であってもある程度肩甲骨が大きく回転するなどというように、肩甲骨の回転角度範囲及び回転変位態様は、個体によって当然に異なり得るものである。さらには、人体が自然物たる故に一つの動作にも様々なメカニズムが複雑に関係しており、ある一つのメカニズムのみに基づく説明では正確とは言えない場合もあり得る。いずれにしても、肩甲骨が腕を持ち上げるあらゆる種類の動作において機能する重要な要素であることは経験的に明白であり、いかなる個体がいかなる種類の腕を持ち上げる動作を行う場合であっても、肩甲骨を胸郭側にしっかりと押し付けられることで腕を持ち上げる動作が容易となることに変わりはない。このことから、本発明に係るウェアは、いかなる個体がいかなる種類の腕を持ち上げる動作を行う場合であっても、その効果を発揮するものであると言える。【００６８】
また、本発明に係るウェアは、上記実施形態に限定されるものではなく、本発明の要旨を逸脱しない範囲で種々の変更が可能である。【００６９】
例えば、上記実施形態では、低伸縮領域２５は、幅方向中央部に位置する中央領域２９が前記下角変位領域２７を含む側部領域２８よりも高さ寸法を大きく形成されるものであったが、これとは反対に小さく形成されるものであってもよく、また、全幅に亘って一定の高さ寸法を有するものであってもよい。【００７０】
また、上記実施形態においては、低伸縮領域２５は、両端部が背面側及び前面側の胴部２１，２２の接合部に至るものであったが、これに限定されるものではなく、衣服圧を発生させることができるものであれば、全幅に及ばない範囲で、一端側から他端側にかけて設定されるものであってもよい。【００７１】
この場合、背面と前面との境界部から低伸縮領域２５の両端部までの領域（以下、体側領域）には、幅方向の伸縮率が大きい高伸縮部が設けられ得る。この場合であっても、上述のように、着用者の体側に相当する両端側から加えられる張力が低伸縮部に作用し得るとともに、低伸縮部が接触する被接触面との摩擦により発生する摩擦力も張力として作用するため、衣服圧を発生させることが可能である。【００７２】
前記体側領域は、具体的には、変位量の大きい脇部の近傍部位を少なくとも含んで設定される。かかる体側領域には、幅方向だけでなく高さ方向にも大きい伸縮率を有する部材を配置する構成が好ましい。このようにすれば、脇部が動作に追随して様々な方向へ伸張するため、投球動作など、様々な方向への動きを含む動作を行いやすくすることができる。より具体的には、かかる体側領域は、前記脇部から高さ方向に沿って下方に延び、また、前記脇部から腕の先端側へ向けて延びるように設定される。【００７３】
そして、上記実施形態においては、上半身用ウェアは、ラグラン袖タイプのものであったが、これに限定されるものではなく、袖部と胴部との境界部が脇部から高さ方向に沿って延びる通常のもの（セットインタイプ）や、セミラグラン袖タイプのものであってもよい。【００７４】
さらに、上記実施形態においては、上半身用ウェアは、上腕を覆う袖部を備えるものであったが、図８（Ａ）に示すように、袖部を有しないいわゆるノースリーブやタンクトップと呼ばれるタイプのものであってもよい。また、図８（Ｂ）に示すように、胸部及び背面上部を覆う一方、腹部及び背面下部を覆わない、いわゆるブラトップと呼ばれるタイプのものであってもよい。【００７５】
また、上記実施形態においては、低伸縮部は、一対の下角変位領域２７，２７を含んで設定される所定領域にのみ設けられるものであったが、これに限定されるものではなく、腕を上げる動作を阻害するものでない範囲において、他の領域（例えば、腰部など）にも適宜設定することが可能である。即ち、本発明に係るウェアは、前記所定領域に背面幅方向の伸縮率の小さい低伸縮部が設けられ、所定領域より上側の領域（好ましくは、少なくとも前記所定領域より上側の近傍領域）に、所定領域より背面幅方向の伸縮率の大きい高伸縮部が設けられるものであればよい。【００７６】
そして、上記実施形態においては、高伸縮性の部材や低伸縮性の部材として３ＷＡＹニット、２ＷＡＹトリコット若しくはＨＫＳニットやパワーネットを使用したが、これに限定されるものではなく、編み糸の種類や編み密度、編み組織、編み糸の本数を適宜変更することにより、任意の弾性率の生地を得て使用してもよい。また、低伸縮性の部材としては、前記パワーネットなどの生地だけでなく、例えばポリウレタンなどの樹脂シートや、高伸縮性の部材にプリント加工されるシリコーンなどを採用することもできる。そして、低伸縮部は、あらゆる伸縮性の部材をあらゆる手段及び方法によって適宜接合、縫合、加工することにより形成することができる。
【図１】
0004431616.tif 000002
【図２】
0004431616.tif 000003
【図３】
0004431616.tif 000004
【図４】
0004431616.tif 000005
【図５】
0004431616.tif 000006
【図６】
0004431616.tif 000007
【図７】
0004431616.tif 000008
【図８】
0004431616.tif 000009